(57)【要約】【課題】  座部を必要なときに簡単に回転不能とすることが可能であり、また外観性を損なったり、邪魔になることもなく、コスト低減化を図り、しかも小学生低学年では着座したままでは容易に操作することができない回転椅子の回転規制装置を提供する。【解決手段】  脚部３の軸部に伸縮可能且つ回転可能なガスシリンダー４を備え、該ガスシリンダーの上端部に座部の下面に設けた支持体を回転不能に装着するとともに、回転規制手段５にてガスシリンダーを回転不能としてなる回転椅子の回転規制装置であって、ガスシリンダー４の外形を非円形とし、軸部３の上端部で回転規制手段によって軸部に対してガスシリンダーを回転不能且つ上下スライド可能に係着してなる。【選択図】        図４
2005245727.tif 000002
【特許請求の範囲】
【請求項１】
脚部の軸部に伸縮可能且つ回転可能なガスシリンダーを備え、該ガスシリンダーの上端部に座部の下面に設けた支持体を回転不能に装着するとともに、回転規制手段にて前記ガスシリンダーを回転不能としてなる回転椅子の回転規制装置であって、前記ガスシリンダーの外形を非円形とし、前記軸部の上端部で前記回転規制手段によって該軸部に対してガスシリンダーを回転不能且つ上下スライド可能に係着してなることを特徴とする回転椅子の回転規制装置。
【請求項２】
前記回転規制手段として、前記ガスシリンダーに回転不能且つ上下スライド可能に取付けた回転規制具を前記軸部の上端部に回転不能且つ係脱可能に係合してなる請求項１記載の回転椅子の回転規制装置。
【請求項３】
前記回転規制手段として、前記ガスシリンダーに回転不能且つ上下スライド可能に取付けた回転規制具を前記軸部の上端部の係合部に回転不能且つ係脱可能に係合するとともに、該回転規制具を外被し且つ該回転規制具が前記係合部に係合した状態を維持する操作カバーを備えてなる請求項１記載の回転椅子の回転規制装置。
【請求項４】
前記回転規制具は、上端部に直接的又は間接的に前記ガスシリンダーに回転不能且つ上下スライド可能に嵌合するフランジ部を有し、該フランジ部から下方に延設した係合片の先端部に下方へ開放し、前記軸部の上端部外周面に突設した前記係合部としての係合ピンに上方から係合する係合凹部を形成したものであり、前記操作カバーは、内部に前記回転規制具を収容するとともに、上端部に前記フランジ部を当止する当止部と、下端部内周に前記係合ピンを受け入れる環状溝と、該環状溝の一部から上方へ連続した縦溝と該縦溝から連続した横溝とからなる係合溝を形成したものであり、前記回転規制具のフランジ部と前記軸部の上端面間に圧縮コイルばねを介装するとともに、前記操作カバーをガスシリンダーと軸部に対して回転可能に外装し、前記回転規制具の係合凹部と前記係合ピン及び係合溝の縦溝の上下位置を合わせた状態で、前記圧縮コイルばねの弾性力に抗して操作カバーを押し下げた後、該操作カバーのみを回転させて前記係合ピンを係合溝の横溝に係止してなる請求項３記載の回転椅子の回転規制装置。
【請求項５】
前記回転規制具の係合凹部と前記係合ピンとの係合が解除された状態で、前記係合凹部と前記操作カバーの係合溝の縦溝との上下位置が一致するように位置決め手段を備えてなる請求項４記載の回転椅子の回転規制装置。
【発明の詳細な説明】
【技術分野】
【０００１】
本発明は、回転椅子の回転規制装置に係わり、更に詳しくは回転椅子の座部を必要なときに回転不能とする回転椅子の回転規制装置に関するものである。
【背景技術】
【０００２】
従来の回転椅子の回転規制装置として、特許文献１に記載されたものは、脚部の軸部に伸縮可能且つ回転不能なガスシリンダーを備え、該ガスシリンダーの上端部に座部の下面に設けた支持体を回転可能に装着するとともに、回転規制手段にて前記座部を回転不能とし、前記ガスシリンダーの上端部に取付けた軸筒を、前記支持体に固定した軸受部材にて回転可能に受け、前記回転規制手段として、前記軸受部材より上方に突出した前記軸筒の上端部に回転軸芯と直交する規制縁を少なくとも一つ有する規制板を固定するとともに、該規制板の規制縁に係脱可能に当接して前記座部を回転不能とする係止部材を前記支持体に設けた構造である。更に詳しくは、前記規制板は互いに平行な少なくとも一対の規制縁を外周の対向位置に設けたものであり、前記係止部材は前記一対の規制縁に同時に当接する一対の当接縁を開口部内周に設けるとともに、一端部を水平な支軸にて前記支持体に上下回動可能に取付けたものであり、前記係止部材を前記支持体に設けた操作手段で上下回動操作し、前記当接縁が規制縁に当接した回転規制状態と前記当接縁が規制縁から離れた回転可能状態とを実現してなるものである。
【０００３】
上記特許文献１に記載の回転規制装置は、操作手段が座部の下面近くに存在するので、座部に座ったままでも回転規制状態と回転可能状態とを選択的に簡単に操作できるといった利点を具えているものの、伸縮可能且つ回転不能な特殊なガスシリンダーを用い、また座部下面の支持体の内部に機構部を組込んでいたので、構造が複雑になるばかりでなく組立てにも手間がかかり、コスト高になる上に、支持体の寸法も大きくなって外観性を損なうといった課題を有している。また、通常この種の椅子は、主に足が床につかない小学生低学年が使用する用途として提供され、勉強中に座部が回転して体が不安定になることを防止するために回転規制するが、操作手段が座部の下面近くに存在するので、遊び半分で操作手段を操作して簡単に回転規制を解除してしまうといった問題もある。
【特許文献１】特開２００３−５２４７８号公報
【発明の開示】
【発明が解決しようとする課題】
【０００４】
そこで、本発明が前述の状況に鑑み、解決しようとするところは、脚部の軸部に伸縮可能且つ回転可能なガスシリンダーを備え、該ガスシリンダーの上端部に座部の下面に設けた支持体を装着してなる回転椅子の回転規制装置において、座部を必要なときに簡単に回転不能とすることが可能であり、また外観性を損なったり、邪魔になることもなく、コスト低減化を図り、しかも小学生低学年では着座したままでは容易に操作することができない回転椅子の回転規制装置を提供する点にある。
【課題を解決するための手段】
【０００５】
本発明は、前述の課題解決のために、脚部の軸部に伸縮可能且つ回転可能なガスシリンダーを備え、該ガスシリンダーの上端部に座部の下面に設けた支持体を回転不能に装着するとともに、回転規制手段にて前記ガスシリンダーを回転不能としてなる回転椅子の回転規制装置であって、前記ガスシリンダーの外形を非円形とし、前記軸部の上端部で前記回転規制手段によって該軸部に対してガスシリンダーを回転不能且つ上下スライド可能に係着してなる回転椅子の回転規制装置を構成した（請求項１）。
【０００６】
ここで、前記回転規制手段として、前記ガスシリンダーに回転不能且つ上下スライド可能に取付けた回転規制具を前記軸部の上端部に回転不能且つ係脱可能に係合してなることが好ましい（請求項２）。
【０００７】
また、前記回転規制手段として、前記ガスシリンダーに回転不能且つ上下スライド可能に取付けた回転規制具を前記軸部の上端部の係合部に回転不能且つ係脱可能に係合するとともに、該回転規制具を外被し且つ該回転規制具が前記係合部に係合した状態を維持する操作カバーを備えてなることがより好ましい（請求項３）。
【０００８】
より具体的には、前記回転規制具は、上端部に直接的又は間接的に前記ガスシリンダーに回転不能且つ上下スライド可能に嵌合するフランジ部を有し、該フランジ部から下方に延設した係合片の先端部に下方へ開放し、前記軸部の上端部外周面に突設した前記係合部としての係合ピンに上方から係合する係合凹部を形成したものであり、前記操作カバーは、内部に前記回転規制具を収容するとともに、上端部に前記フランジ部を当止する当止部と、下端部内周に前記係合ピンを受け入れる環状溝と、該環状溝の一部から上方へ連続した縦溝と該縦溝から連続した横溝とからなる係合溝を形成したものであり、前記回転規制具のフランジ部と前記軸部の上端面間に圧縮コイルばねを介装するとともに、前記操作カバーをガスシリンダーと軸部に対して回転可能に外装し、前記回転規制具の係合凹部と前記係合ピン及び係合溝の縦溝の上下位置を合わせた状態で、前記圧縮コイルばねの弾性力に抗して操作カバーを押し下げた後、該操作カバーのみを回転させて前記係合ピンを係合溝の横溝に係止してなるのである（請求項４）。
【０００９】
更に、前記回転規制具の係合凹部と前記係合ピンとの係合が解除された状態で、前記係合凹部と前記操作カバーの係合溝の縦溝との上下位置が一致するように位置決め手段を備えてなることがより好ましい（請求項５）。
【発明の効果】
【００１０】
以上にしてなる請求項１に係る発明の回転椅子の回転規制装置は、ガスシリンダーの外形を非円形としたことにより、脚部の軸部に対して該軸部の上端部においてガスシリンダーを回転規制することで、座部を必要なときに簡単に回転不能とすることができ、しかも回転規制手段は軸部の上端部位置にあるので、邪魔になることもなく、小学生低学年では着座したままでは容易に操作することができないようにすることができる。
【００１１】
請求項２によれば、回転規制手段の構造が簡単になり、コスト低減化を図ることができる。
【００１２】
請求項３によれば、回転規制手段の構造が簡単になり、コスト低減化を図ることができるとともに、操作カバーを操作するだけで回転規制状態と回転可能状態にすることができ、更に外観性にも優れたものとなる。
【００１３】
請求項４によれば、回転規制具の係合凹部と係合ピン及び係合溝の縦溝の上下位置を合わせた状態で、圧縮コイルばねの弾性力に抗して操作カバーを押し下げるだけで、軸部に対してガスシリンダーを回転不能とすることができ、しかもその状態から該操作カバーのみを回転させて係合ピンを係合溝の横溝に係止するだけの操作で、回転規制状態を維持することができる。
【００１４】
請求項５によれば、位置決め手段の存在によって、回転規制具の係合凹部と係合ピンとの係合が解除された状態で、常に係合凹部と操作カバーの係合溝の縦溝との上下位置を一致させることができるので、操作カバーを押し下げる際の位置決めが不要となって操作性に優れたものとなる。
【発明を実施するための最良の形態】
【００１５】
次に本発明の実施の形態を添付図面に基づき更に詳細に説明する。図１〜図３は本発明に係る回転椅子の回転規制装置の第１実施形態を示し、図中符号１は脚部、２は座部、３は軸部、４はガスシリンダー、５は回転規制手段をそれぞれ示している。
【００１６】
本実施形態における回転椅子は、脚部１の軸部３に伸縮可能且つ回転可能なガスシリンダー４を備え、該ガスシリンダー４の上端部に座部２の下面に設けた支持体（図示せず）を回転不能に装着するとともに、回転規制手段５にて前記ガスシリンダー４を回転不能としてなるものである。
【００１７】
更に詳しくは、図１及び図２に示すように、前記脚部１は、放射状に延びた複数の支脚６，…の中心部に前記軸部３を立設したものであり、該軸部３には外形を非円形としたガスシリンダー４を伸縮可能且つ回転可能に内蔵しており、該ガスシリンダー４の上端部に前記座部２の下面に取付けた支持体を回転不能に装着している。尚、図中符号７は前記支持体を覆ったカバーである。また、本発明に係る回転椅子は、主に小学生が使用し、低学年から高学年までの児童が使用できることを商品コンセプトとしている。そのため、前記軸部３には、体格が小さな小学生低学年の児童の足を載せるステップ１Ａを高さ調節可能且つ着脱可能に取付けている。
【００１８】
前記ガスシリンダー４は、外形が略六角形（図１３（ａ）参照）のシリンダー本体８の下方にロッド９が伸縮可能に伸びた構造を有し、前記シリンダー本体８の下部とロッド９を金属製円筒からなる前記軸部３に内蔵し、該軸部３の上端部に内嵌した合成樹脂製のスリーブ１０に前記シリンダー本体８を回転可能且つ上下スライド可能に支持するとともに、前記ロッド９の下端部を前記軸部３の底板１１にベアリング１２を介して定位置回転可能に支持している。そして、前記シリンダー本体８に対するロッド９の突出長さを調節することによって当該シリンダー本体８の上下位置を調節し、もって前記座部２の高さを調節するのである。本発明で使用する前記ガスシリンダー４は、シリンダー本体８の外形が非円形、代表的には略六角形である以外は従来公知の安価なガスシリンダーと同じ構造のものである。
【００１９】
そして、本実施形態では、前記回転規制手段５として、前記ガスシリンダー４のシリンダー本体８に回転不能且つ上下スライド可能に取付けた回転規制具１３を前記軸部３の上端部の係合部１４に回転不能且つ係脱可能に係合するとともに、該回転規制具１３を外被し且つ該回転規制具１３が前記係合部１４に係合した状態を維持する操作カバー１５を備えた構造とした。本発明では、前記軸部３の上端部で、前記回転規制手段５によって該軸部３に対してガスシリンダー４を回転不能且つ上下スライド可能に係着するが、ここで軸部３の上端部とは、軸部３の上端及びその近傍を意味している。
【００２０】
以下に第１実施形態を図３〜図７に基づいて更に詳しく説明する。前記回転規制具１３は、金属製であり、上端部に直接的又は間接的に前記ガスシリンダー４のシリンダー本体８に回転不能且つ上下スライド可能に嵌合するフランジ部１６を有し、該フランジ部１６から下方に延設した係合片１７，１７の先端部に下方へ開放し、前記軸部３の上端部外周面に突設した前記係合部としての係合ピン１４に上方から係合する係合凹部１８を形成したものであり。また、前記操作カバー１５は、合成樹脂製の二つ割り構造で、一対の分割カバー１５Ａ，１５Ａを嵌合して筒状に形成したものであり、内部に前記回転規制具１３を収容するとともに、上端部に前記フランジ部１６を当止する当止部１９と、下端部内周に前記係合ピン１４を受け入れる環状溝２０と、該環状溝２０の一部から上方へ連続した縦溝２２と該縦溝２２から連続した横溝２３とからなる係合溝２１を形成したものである。
【００２１】
本実施形態では、前記回転規制具１３は、合成樹脂製の嵌合部材２４を介して間接的に前記ガスシリンダー４のシリンダー本体８に回転不能且つ上下スライド可能に嵌合している。即ち、前記嵌合部材２４は、前記シリンダー本体８の外形に応じた非円形の嵌合孔２５を有し、該嵌合孔２５を前記シリンダー本体８に回転不能且つ上下スライド可能に嵌合し、また該嵌合孔２５の上面孔縁に突設した非円形の突縁２６に前記回転規制具１３のフランジ部１６の形成した開口２７を回転不能に嵌合している。更に、前記嵌合部材２４の下面外周にはリブ２８を突設し、該リブ２８の内方に後述の圧縮コイルばね２９の上端部を保持できるようにしている。本実施形態では、前記嵌合部材２４の突縁２６の外形を六角形とし、前記回転規制具１３の開口２７もそれに応じて六角形としている。
【００２２】
前記操作カバー１５の分割カバー１５Ａ，１５Ｂは、互に嵌合する嵌合爪３０と嵌合部３１とを形成し、前記軸部３の上端部において両者を抜止め状態で嵌合することで一体化し、前記環状溝２０内に前記係合ピン１４を受け入れる。この際、前記シリンダー本体８には、予め前記圧縮コイルばね２９と嵌合部材２４と回転規制具１３を外挿しておき、前記嵌合部材２４の突縁２６に回転規制具１３の開口２７を外嵌し、前記嵌合部材２４の下面と前記軸部３の上端のスリーブ１０の上端面との間に前記圧縮コイルばね２９を圧縮状態に押し縮めて介装し、それから前述のように分割カバー１５Ａ，１５Ｂを接合し、操作カバー１５で前記回転規制具１３、嵌合部材２４及び圧縮コイルばね２９を外被するとともに、前記当止部１９で回転規制具１３のフランジ部１６を当止して組立てる。ここで、前記分割カバー１５Ａの端部には、前記嵌合爪３０，…を突設し、具体的には両側縁部に上下方向に延びた嵌合爪条３０Ａ，３０Ａを突設するとともに、両端部の上下端に嵌合爪片３０Ｂ，…を突設している。一方、前記分割カバー１５Ｂの端部には、前記嵌合部３１，…を形成し、具体的には前記嵌合爪条３０Ａ，３０Ａを内嵌する嵌合凹溝部３１Ｂ，３１Ｂを形成するとともに、両端部の上下端に前記嵌合爪片３０Ｂ，…をそれぞれ嵌合する嵌合凹部３１Ｂ，…を形成している。そして、前記嵌合爪３０と嵌合部３１とを嵌合することによって、両分割カバー１５Ａ，１５Ｂは、上下左右の移動も完全に規制されて互に強固に接合して一体化する。尚、前記分割カバー１５Ａ，１５Ｂは、同形として一方の接合端部に嵌合爪３０を形成し、他方の接合端部に嵌合部３１を形成しても良い。
【００２３】
また、前記操作カバー１５の内周面には、前記回転規制具１３の係合片１７，１７を受け入れて、該回転規制具１３に対して当該操作カバー１５を所定角度だけ回転を許容するために縦リブ３２，３２を設けている。また、本実施形態では、前記操作カバー１５を二つ割り構造としたことにより、前記環状溝２０に接合部が存在し、該接合部の位置に前記係合ピン１４が位置したり、また通過する際にスムーズでなくなるといった不都合を改善するため、前記環状溝２０の下面位置に偏平なリング状のスライダー３３を位置させ、前記圧縮コイルばね２９の反発力によって該スライダー３３が前記係合ピン１４の下端に接した状態に維持する。
【００２４】
通常は、前記操作カバー１５は、圧縮コイルばね２９で押上げられ、前記係合ピン１４は環状溝２０内に位置している。この状態で、前記座部２を回転させると、前記シリンダー本体８が回転し、それに伴って前記回転規制具１３が回転し、該回転規制具１３に当止部１９で接触した操作カバー１５は共に回転する。この際、前記回転規制具１３の係合片１７，１７は前記係合ピン１４の上方に位置し、前記係合ピン１４に対して環状溝２０が回転移動する。そして、前記座部２の回転を規制する場合には、図４に示すように前記回転規制具１３の係合凹部１８と前記係合ピン１４及び係合溝２１の縦溝２２の上下位置を合わせた状態で、図６に示すように前記圧縮コイルばね２９の弾性力に抗して操作カバー１５を押し下げて、前記縦溝２２内に係合ピン１４を受け入れた後、該操作カバー１５のみを回転させて前記係合ピン１４を係合溝２１の横溝２３に位置させると、該横溝２３が係合ピン１４に係止するので、該操作カバー１５から手を離しても前記係合ピン１４が回転規制具１３の係合凹部１８に係合した状態が維持される（図７参照）。従って、前記回転規制具１３を介して前記シリンダー本体８は軸部３に対して回転不能となる。何れの場合においても、前記回転規制具１３は、シリンダー本体８に対して上下スライド可能であるので、座部２の高さは調節できる。尚、前記ステップ１Ａを最上位に設定した場合でも、前記操作カバー１５の押し下げ動作と干渉しないように、該ステップ１Ａの最上位位置を示すマーカー若しくはストッパーを前記軸部３に設けることが好ましい。
【００２５】
次に、図８〜図１２に基づいて本発明の第２実施形態を説明する。前述の第１実施形態では、前記回転規制具１３に対して前記操作カバー１５を所定角度だけ回転できるようにしているため、回転可能状態において座部２を回転させる際に、前記回転規制具１３と操作カバー１５とは完全に一体となって回転せずに、若干ずれて回転することがある。その場合、前記回転規制具１３の係合凹部１８と係合溝２１の縦溝２２の上下位置がずれ、その状態で前記操作カバー１５を押し下げても前記縦溝２２内又は係合凹部１８内に係合ピン１４を受け入れることができない。この不都合を解消し、回転可能な状態では、常に前記回転規制具１３の係合凹部１８と係合溝２１の縦溝２２の上下位置が一致するように工夫したのが第２実施形態である。
【００２６】
具体的には、前記回転規制具１３と操作カバー１５との間に、位置決め手段としての位置決め部材３４を介在させる。そのため、前記操作カバー１５に前記係合溝２１の縦溝２２に連通する導通部３５を形成し、前記位置決め部材３４のリング状の保持部３６から下設した弾性片３７，３７を前記導通部３５，３５に嵌合し、該位置決め部材３４を操作カバー１５に対して回転不能に嵌合し、更に前記弾性片３７，３７の内側端に前記回転規制具１３の係合凹部１８に係合する突起３８を形成している。尚、前記位置決め部材３４の保持部３６は、前記回転規制具１３のフランジ部１６と前記操作カバー１５の当止部１９との間に挟んで位置固定し、前記保持部３６の周囲に突出した膨出部３６Ａ，３６Ａが前記回転規制具１３の両縦リブ３２，３２間に嵌合して回転不能に保持されている。その他の構成は、第１実施形態と同様であるので、同一構成には同一符号を付してその説明は省略する。
【００２７】
本実施形態の場合、前記位置決め部材３４の両弾性片３７，３７が前記操作カバー１５の導通部３５，３５から縦溝２２，２２内に位置し、その先端部にそれぞれ突設した突起３８が前記回転規制具１３の係合凹部１８に係合するので、その状態では必然的に前記係合凹部１８と前記係合溝２１の縦溝２２の上下位置が一致する（図９参照）。そして、前記係合凹部１８と縦溝２２の位置を前記係合ピン１４の位置に一致させた後、前記同様に前記操作カバー１５を押し下げると、前記係合ピン１４が縦溝２２内に進入し、前記突起３８に乗り上げながら前記弾性片３７を外側へ追いやり、該突起３８が前記係合凹部１８から外側へ退避する（図１０参照）。その状態で、前記操作カバー１５は回転規制具１３に対して回転可能になり、該操作カバー１５を回転させると、前記係合ピン１４は係合溝２１の横溝２３に位置し係止する（図１２参照）。この状態が回転規制状態である。この状態から回転可能状態にするには、前記操作カバー１５を逆に回転させれば良く、前記係合片１７の外側面に圧接した状態の前記弾性片３７の突起３８は、該係合片１７の外側面を摺動しながら前記係合ピン１４に乗り上げ、それから手を離せば圧縮コイルばね２９の弾性力によって操作カバー１５が押上げられ、前記係合ピン１４が突起３８から離れ、縦溝２２を通って環状溝２０の位置までくると、再び前記突起３８が前記係合凹部１８に係合した図９の状態に戻るのである。
【００２８】
尚、前記位置決め部材３４による位置決めする方法の他に、前記回転規制具１３に対して前記操作カバー１５の回転位置が、常に前記係合凹部１８と前記縦溝２２の上下位置が一致するようにキックばね等の弾性付勢手段にて復帰させるようにすることも可能である。
【００２９】
また、本発明のガスシリンダー４のシリンダー本体８の外形の変形例を図１３に示す。先ず、図１３（ａ）は、前述の実施形態で説明した外形が略六角形のものである。図１３（ｂ）は外形が円形のシリンダー本体８の一部に長手方向に溝３９が形成されたものであり、該溝３９を利用してシリンダー本体８の回転を規制するようにできる。また、図１３（ｃ）は、シリンダー本体８の断面形状が楕円形のものである。そして、図１３（ｄ）は、外形が円形のシリンダー本体８の側面の一部を平面状のカットしたカット面４０，４０を有するものである。
【００３０】
更に他の実施形態を図１４〜図１８に基づいて説明する。図１４（ａ）、（ｂ）は、外形が略六角形のシリンダー４を用い、前記回転規制手段として、前記軸部３の上端部に外方から螺合した規制ネジ４１を、前記スリーブ１０を貫通させて、その先端を前記シリンダー４の側面の平面部４２に対面させ、該シリンダー４の回転を規制するようにしたものである。この場合、前記規制ネジ４１は前記平面部４２に圧接しないようにすることで、前記座部２の高さを調節することができる。
【００３１】
図１５に示したものは、前記シリンダー４に回転不能且つ上下スライド可能に嵌合した操作カバー４２の円筒部４３を、前記軸部３の上端部に外嵌可能とし、該円筒部４３の通孔４４を貫通させた固定ネジ４５を前記軸部３の螺孔４６に螺合することにより、シリンダー４を回転規制するものである。
【００３２】
図１６に示したものは、図１５と同様な操作カバー４７の円筒部４８を、前記軸部３の上端部外面との間で回転不能に凹凸嵌合する構造であり、図示したものは、前記軸部３の上端部外面に平面部４９，４９を形成し、前記操作カバー４７の円筒部４８の内面に該平面部４９，４９に嵌合する突部５０，５０を形成している。
【００３３】
図１７に示したものは、前記シリンダー４に回転不能且つ上下スライド可能に嵌合した係合部材５１の下面に凹凸部５２を形成し、前記軸部３の上端部に設けたスリーブ１０の上端面に前記凹凸部５２に嵌合する凹凸部５３を形成したものである。
【００３４】
そして、図１８に示したものは、前記軸部３の上端部に前記スリーブ１０を貫通するスリット５４，５４を対向する位置に形成し、該スリット５４にシリンダー４の平面部を対応させた状態で、両スリット５４，５４に平面視略Ｕ字形の止め具５５を嵌合し、シリンダー４の回転を規制するものである。
【００３５】
図１４〜図１８の実施形態では、図１３（ａ）の六角形の外形を有するシリンダー４を用いたものであるが、図１３（ｂ）〜（ｄ）に示したシリンダー４との組合わせで、更に多様な実施形態が存在するのである。
【図面の簡単な説明】
【００３６】
【図１】本発明の回転規制装置を適用した回転椅子の側面図である。
【図２】軸部とシリンダーとの関係を示す断面図である。
【図３】本発明の第１実施形態を示す要部の分解斜視図である。
【図４】同じく組立てた状態で回転可能状態を示す要部の断面図である。
【図５】操作カバーの係合溝と回転規制具の係合凹部と係合ピンの関係を示す説明用断面図である。
【図６】操作カバーを押し下げた状態の要部の断面図である。
【図７】操作カバーを回転させて係合ピンを係合溝内に係止した回転規制状態を示す要部の断面図である。
【図８】本発明の第２実施形態を示す要部の分解斜視図である。
【図９】同じく組立てた状態で回転可能状態を示す要部の断面図である。
【図１０】操作カバーの係合溝と回転規制具の係合凹部と係合ピンと位置決め部材の突起の関係を示す説明用断面図である。
【図１１】操作カバーを押し下げた状態の要部の断面図である。
【図１２】操作カバーを回転させて係合ピンを係合溝内に係止した回転規制状態を示す要部の断面図である。
【図１３】シリンダーの外形の変形例を示し、（ａ）は六角形のシリンダー、（ｂ）は溝を有するシリンダー、（ｃ）は楕円形のシリンダー、（ｄ）は平面部を有するシリンダーをそれぞれ軸部に回転可能に装着した状態の平面図である。
【図１４】本発明の第３実施形態を示し、（ａ）は要部の斜視図、（ｂ）は断面図である。
【図１５】本発明の第４実施形態を示す要部の分解斜視図である。
【図１６】本発明の第５実施形態を示す要部の分解斜視図である。
【図１７】本発明の第６実施形態を示す要部の斜視図である。
【図１８】本発明の第７実施形態を示し、（ａ）は要部の分解斜視図、（ｂ）は断面図である。
【符号の説明】
【００３７】
１  脚部              ２  座部
３  軸部              ４  ガスシリンダー
５  回転規制手段      ６  支脚
７  カバー            ８  シリンダー本体
９  ロッド            １０  スリーブ
１１  底板            １２  ベアリング
１３  回転規制具      １４  係合ピン（係合部）
１５Ａ  分割カバー    １５  操作カバー
１６  フランジ部      １７  係合片
１８  係合凹部        １９  当止部
２０  環状溝          ２１  係合溝
２２  縦溝            ２３  横溝
２４  嵌合部材        ２５  嵌合孔
２６  突縁            ２７  開口
２８  リブ            ２９  圧縮コイルばね
３０  嵌合爪          ３１  嵌合部
３２  縦リブ          ３３  スライダー
３４  位置決め部材    ３５  導通部
３６  保持部          ３７  弾性片
３８  突起            ３９  溝
４０  カット面        ４１  規制ネジ
４２  平面部          ４２  操作カバー
４３  円筒部          ４４  通孔
４５  固定ネジ        ４６  螺孔
４７  操作カバー      ４８  円筒部
４９  平面部          ５０  突部
５１  係合部材        ５２  凹凸部
５３  凹凸部          ５４  スリット
５５  止め具
【図１】
2005245727.tif 000003
【図２】
2005245727.tif 000004
【図３】
2005245727.tif 000005
【図４】
2005245727.tif 000006
【図５】
2005245727.tif 000007
【図６】
2005245727.tif 000008
【図７】
2005245727.tif 000009
【図８】
2005245727.tif 000010
【図９】
2005245727.tif 000011
【図１０】
2005245727.tif 000012
【図１１】
2005245727.tif 000013
【図１２】
2005245727.tif 000014
【図１３】
2005245727.tif 000015
【図１４】
2005245727.tif 000016
【図１５】
2005245727.tif 000017
【図１６】
2005245727.tif 000018
【図１７】
2005245727.tif 000019
【図１８】
2005245727.tif 000020